(57)【要約】【課題】ボールペン等の筆記具を、安定して体裁よく携帯することができるようにしたカードホルダーを提供する。【解決手段】  名札類等のカード類Ｃをスリット状の開口部７から差込み収容可能な収容ケース２と、この収容ケース２の端縁部に設けたストラップ掛け部３とを備えたカードホルダー１において、ストラップ掛け部３にペンホルダー部１０を設ける。【選択図】    図１
2010102152.tif 000002
【特許請求の範囲】
【請求項１】
名札類等のカード類をスリット状の開口部から差込み収容可能な収容ケースと、この収容ケースの端縁部に設けたストラップ掛け部とを備えたカードホルダーにおいて、
ストラップ掛け部にペンホルダー部を設けたことを特徴とするカードホルダー。
【請求項２】
ペンホルダー部に、収容ケースの端縁部に沿うような状態をもって、ボールペン等の筆記具を保持しうるようにした請求項１記載のカードホルダー。
【請求項３】
ストラップ掛け部を、収容ケースに対して着脱可能または両者を一体的に取り付けた請求項１または２記載のカードホルダー。
【請求項４】
ペンホルダー部を、収容ケース上端側から上方または斜め上方に向けて起立しうるように設けられたクリップ掛け片と、このクリップ掛け片の上端縁から、さらに上方もしくは斜め上方に延出させたストラップ掛け片とよりなるものとした請求項１〜３のいずれかに記載のカードホルダー。
【請求項５】
クリップ掛け片に、筆記具におけるクリップ部遊端のクリップ玉が係合される係合部を設けた請求項４記載のカードホルダー。
【請求項６】
ペンホルダー部に、収容ケース上端側から上方または斜め上方に向けて延出し、かつ筆記具の軸部をクリップ掛け片と共に抱持するペン抱持片を設けた請求項１〜５のいずれかに記載のカードホルダー。
【請求項７】
ペンホルダー部を、収容ケース上端側から上方または斜め上方に向けて起立しうるように設けられたストラップ掛け片と、このストラップ掛け片の下端縁から起立させた挟持片とより構成した請求項１〜３のいずれかに記載のカードホルダー。
【請求項８】
挟持片を、ストラップ掛け片の左右方向の幅よりも狭くまたは広くした請求項７記載のカードホルダー。
【請求項９】
挟持片を、ストラップ掛け片の左右に離間させて設けた請求項７記載のカードホルダー。
【請求項１０】
挟持片を、ストラップ掛け片の前面または後面に向けて巻き込むように延出させて設けた請求項７記載のカードホルダー。
【請求項１１】
ストラップ掛け片と挟持片のうち、少なくとも挟持片を、伸縮性を有する弾性素材であるものとした請求項７〜１０のいずれかに記載のカードホルダー。
【発明の詳細な説明】
【技術分野】
【０００１】
本発明は、例えば名刺、身分証等のカード類を胸の前などに吊支して使用されるカードホルダーに関する。
【背景技術】
【０００２】
会社内や各種展示会等の会場においては、個人の名刺や身分証等を含む名札類を、収容ケースからなるカードホルダーに装着し、これをストラップによって首に掛けて、胸の前に吊り下げることにより、個人を表示しうるようになっている（例えば特許文献１参照）。
【０００３】
一方、ボールペンなどの筆記具を携帯する場合には、洋服の裏やワイシャツの胸のポケット等にクリップ掛けしているのが、一般的である。
【０００４】
しかし、ボールペンを、縦向きに胸のポケットに差し込んでクリップ掛けした場合、例えば落ちた物を拾う際に、しゃがんだりすると、邪魔となったり、胸を突き刺す危険性があるという問題があった。
【特許文献１】特開２００７−１４０７７６号公報
【発明の開示】
【発明が解決しようとする課題】
【０００５】
本発明は、前記の現状に鑑み、ボールペン等の筆記具を、安定して体裁よく携帯することができるようにしたカードホルダーを提供することを目的とする。
【課題を解決するための手段】
【０００６】
上記課題は、「特許請求の範囲」の欄における各請求項に記載するように、次のような構成からなる発明によって解決される。
【０００７】
（１）名札類等のカード類をスリット状の開口部から差込み収容可能な収容ケースと、この収容ケースの端縁部に設けたストラップ掛け部とを備えたカードホルダーにおいて、ストラップ掛け部にペンホルダー部を設ける。
【０００８】
（２）上記（１）項において、ペンホルダー部に、収容ケースの端縁部に沿うような状態をもって、ボールペン等の筆記具を保持しうるようにする。
【０００９】
（３）上記（１）項または（２）項において、ストラップ掛け部を、収容ケースに対して着脱可能または両者を一体的に取り付ける。
【００１０】
（４）上記（１）〜（３）項のいずれかにおいて、ペンホルダー部を、収容ケース上端側から上方または斜め上方に向けて起立しうるように設けられたクリップ掛け片と、このクリップ掛け片の上端縁から、さらに上方もしくは斜め上方に延出させたストラップ掛け片とよりなるものとする。
【００１１】
（５）上記（４）項において、クリップ掛け片に、筆記具におけるクリップ部遊端のクリップ玉が係合される係合部を設けた請求項４記載のカードホルダー。
【００１２】
（６）上記（１）〜（５）項のいずれかにおいて、ペンホルダー部に、収容ケース上端側から上方または斜め上方に向けて延出し、かつ筆記具の軸部をクリップ掛け片と共に抱持するペン抱持片を設ける。
【００１３】
（７）上記（１）〜（３）項のいずれかにおいて、ペンホルダー部を、収容ケース上端側から上方または斜め上方に向けて起立しうるように設けられたストラップ掛け片と、このストラップ掛け片の下端縁から起立させた挟持片とより構成する。
【００１４】
（８）上記（７）項において、挟持片を、ストラップ掛け片の左右方向の幅よりも狭くまたは広くする。
【００１５】
（９）上記（７）項において、挟持片を、ストラップ掛け片の左右に離間させて設ける。
【００１６】
（１０）上記（７）項において、挟持片を、ストラップ掛け片の前面または後面に向けて巻き込むように延出させて設ける。
【００１７】
（１１）上記（７）〜（１０）項のいずれかにおいて、ストラップ掛け片と挟持片のうち、少なくとも挟持片を、伸縮性を有する弾性素材であるものとする。
【発明の効果】
【００１８】
本発明によると、次のような効果が奏せられる。
請求項１記載の発明によれば、ストラップ掛け部と一体に形成されるペンホルダー部を設けてあるため、ペンホルダー部に筆記具を保持させることにより、安定して体裁よく携帯することができる。
【００１９】
請求項２記載の発明によれば、ペンホルダー部に、収容ケースの端縁部に沿うような状態をもって、筆記具を保持しうるようにしてあるので、例えば筆記具を収容ケースの上端縁に沿う左右方向に横向き状態をもって保持させた場合に、落ちた物を拾う際に、しゃがんだりしても、邪魔となることはなく、また胸を突き刺す危険性を防止することができる。
【００２０】
請求項３記載の発明によれば、ストラップ掛け部を、収容ケースに対して着脱可能または両者を一体的に取り付けてあるため、ストラップ掛け部を取外すことにより、収容ケースを、安全ピンなどの固定具やクリップ部材などの挟持具を用いて、従来と同様な名札等のカードホルダーにも単独で使用することができる。
【００２１】
請求項４記載の発明によれば、ペンホルダー部を、収容ケース上端側から上方または斜め上方に向けて起立しうるように設けられたクリップ掛け片と、このクリップ掛け片の上端縁から、さらに上方または斜め上方に延出させたストラップ掛け片とよりなるものとしてあるため、筆記具のクリップ掛けが容易になるとともに、筆記具を、クリップ掛け片とストラップ掛け片との間に体裁よく収めることができる。
【００２２】
請求項５記載の発明によれば、クリップ掛け片に、筆記具におけるクリップ部遊端のクリップ玉が係合される係合部を設けてあるため、筆記具の左右方向の軸ずれを防止することができる。
【００２３】
請求項６記載の発明によれば、ペンホルダー部に、収容ケース上端側から上方または斜め上方に向けて延出し、かつ筆記具の軸部をクリップ掛け片と共に抱持するペン抱持片を設けてあるため、筆記具の軸部を、確実に抱持することができる。
【００２４】
請求項７記載の発明によれば、ペンホルダー部を、収容ケース上端側から上方または斜め上方に向けて起立しうるように設けられたストラップ掛け片と、このストラップ掛け片の下端縁から起立させた挟持片とより構成してあるため、クリップのない筆記具においても、確実に挟持することができる。
【００２５】
請求項８記載の発明によれば、挟持片を、ストラップ掛け片の左右方向の幅よりも狭くした場合には、軸部の短かい筆記具の出し入れが容易になるとともに、広くした場合には、クリップがなくて軸部の長い筆記具を、安定して挟持することができる。
【００２６】
請求項９記載の発明によれば、挟持片を、ストラップ掛け片の左右に離間させて設けてあるため、筆記具の軸部が長い場合においても、より安定して挟持することができる。
【００２７】
請求項１０記載の発明によれば、挟持片を、ストラップ掛け片の前面または後面に向けて巻き込むように延出させて設けてあるため、筆記具の軸部を、より一層安定して挟持することができる。
【００２８】
請求項１１記載の発明によれば、ストラップ掛け片と挟持片のうち、少なくとも挟持片を、伸縮性を有する弾性素材であるものとしてあるため、筆記具の軸部の太さに容易に対応させることができる。
【発明を実施するための最良の形態】
【００２９】
以下、本発明を図面を参照しながら説明する。
図１、図２、図３は、本発明における第１実施形態のカードホルダーのストラップによる吊支状態を示す、それぞれ正面図、左側面図、背面図、図４は、図１におけるIV−IV線拡大断面図、図５は、図１におけるＶ−Ｖ線要部拡大断面図である。
【００３０】
図１〜図３に示すように、本実施形態のカードホルダー１は、収容ケース２と、この収容ケース２の上端２ａにおける左右方向の中央部に設けたストラップ掛け部３とを備えているとともに、ストラップ掛け部３は、溶着等により、収容ケース２に対して一体的に取り付けられている。
【００３１】
収容ケース２は、プラスチック素材からなるとともに、正面視横長の長方形状をなしかつその周縁部を除く部位が透明な前面シート状部材４と、この前面シート状部材４の後面を構成する透光性または非透光性の後面シート状部材５とを、左側縁部を除く三方の縁部を一体的に貼り合わせて形成されている。
前面シート状部材４と後面シート状部材５との間には、収容空間６が形成されており、この収容空間６には、身分証等のカード類Ｃが左側端に開口したスリット状の開口部７から、差し込みができるようになっている。
【００３２】
ストラップ掛け部３は、収容ケース２と同様なプラスチック素材からなるとともに、収容ケース２における上端２ａの前端縁側から前斜め上方に向けて延出させ、かつその遊端をさらに上方に向けて起立させた、収容ケース２の厚さよりも薄いクリップ掛け片８と、このクリップ掛け片８の上端縁から後方に向け斜め上方に延出させたストラップ掛け片９とより形成されており、これらクリップ掛け片８とストラップ掛け片９とをもって、ペンホルダー部１０が形成される。
【００３３】
ペンホルダー部１０には、図１〜図３に想像線で示すように、筆記具、例えば比較的軸長の短いボールペン１１が、収容ケース２の上端２ａに沿う左右方向に横向き状態をもって装着可能になっている。
ボールペン１１は、その軸部１２に設けたクリップ１３を、クリップ掛け片８にクリップ掛けすることにより、ペンホルダー部１０に容易に装着することができる。
【００３４】
ストラップ掛け片３には、その上端縁に取付孔１４が設けられており、この取付孔１４を利用して取り付けられたストラップＳを、使用者の首に掛けることにより、収容ケース２を吊支した場合、クリップ掛け片８は、ボールペン１１を装着し易い上下位置となる。
【００３５】
収容ケース２の後面シート状部材５には、カード類Ｃが差し込まれる収容空間６における開口部７と反対側に、上下一対の押え片１５が切込み形成されている。
この押え片１５は、図４および図５に示すように、収容空間６に向けて突出する突起１５ａが形成されているとともに、この突起１５ａによって、収容空間６に収容されたカード類Ｃを、前面シート状部材４側に向けて押圧して、前面シート状部材４の裏面との間で挟持することにより、カード類Ｃの抜けを防止している。
【００３６】
また、後面シート状部材５の左右方向の中央部には、ほぼ楕円状のカード取出し孔１６が、前記収容空間６に臨むように開口されている。
このカード取出し孔１６を介して、外部から指等の挿入により、収容ケース２内に収容されたカード類Ｃを直接指で押圧して、開口部７側に向けて押出すことにより、カード類Ｃの取出しを容易にしている。
【００３７】
図６は、本発明における第２実施形態のカードホルダーのストラップによる吊支状態を示す正面図、図７は、図６におけるVII−VII線要部拡大断面図である。
【００３８】
本実施形態のカードホルダー１７は、前記第１実施形態における収容ケース２の上端２ａに設けられるストラップ掛け部３の形態に改良を施したものであり、収容ケース２の形態は、実質的に変わらないため、以下、同一符号を用いて説明する。
【００３９】
図６および図７に示すように、ストラップ掛け部１８は、クリップ掛け片１９とストラップ掛け片２０とよりなるペンホルダー部２１において、クリップ掛け片１９の前面に、左右方向に列設した、係合部としての複数の球面状をなす凹部２２が設けられている。
これらの凹部２２のうちの１つを選択し、ボールペン１１におけるクリップ部１３の遊端裏面に突出されたクリップ玉１３ａを係合させることにより、ボールペン１１の左右方向のずれを防止することができる。
この場合、係合部を、球面状の凹部２２としたが、その凹部形状には限定されず、また、貫通孔としてもよい。
【００４０】
図８、図９、図１０は、本発明における第３実施形態のカードホルダーのストラップによる吊支状態を示す、それぞれ正面図、左側面図、背面図である。
【００４１】
本実施形態のカードホルダー２３も、第２実施形態と同様に、ストラップ掛け部３の形態に改良を施したものである。
【００４２】
図８〜図１０に示すように、ストラップ掛け部２４は、ペンホルダー部２５を、収容ケース２における上端２ａの前端縁側から前斜め上方に向けて延出させ、かつその遊端をさらに上方に向けて起立させた、薄いクリップ掛け片２６と、このクリップ掛け片２６の上端縁から後方に向け斜め上方に延出させたストラップ掛け片２７と、収容ケース２の上端２ａにおける後端縁側から後斜め上方に向けて延出させ、かつその遊端をさらに上方に向けて延出させたペン抱持片２８とより形成されている。
ボールペン１１の軸部１２は、ペンホルダー部２５において、クリップ掛け片２６、ストラップ掛け片２７と共に、ペン抱持片２８によって抱持される。
【００４３】
図１１、図１３は、本発明における第４実施形態のカードホルダーのストラップによる吊支状態を示す、それぞれ正面図、背面図、図１２は、図１１におけるXII−XII線要部拡大断面図である。
【００４４】
本実施形態のカードホルダー２９は、第１実施形態において、収容ケース２とストラップ掛け部３とを分離して、互いに着脱可能に構成したものである。
【００４５】
図１１〜図１３に示すように、収容ケース２の上端２ａに、左右方向に沿う起立部３０を一体に形成し、この起立部３０の左右方向中央部に、左右横長の組付孔３１を前後方向に貫通させて設けるとともに、ストラップ掛け部３２は、前記起立部３０における前面の左右方向に沿って当接される基部３３と、この基部３３における左右方向中央部の前端縁側から上方に向けて起立させたクリップ掛け片３４と、このクリップ掛け片３４の上端縁から後方に向け斜め上方に延出させたストラップ掛け片３５とより形成されており、これらクリップ掛け片３４とストラップ掛け片３５とをもって、ペンホルダー部３６が形成される。
さらに、前記基部３３における左右方向の中央部裏面に、組付孔３１に対応する突起３７が後方に向けて突設されており、この突起３７を、組付孔３１に圧入状態で挿入することにより、ストラップ掛け部３２が、収容ケース２に着脱可能に組み付けられるようになっている。
【００４６】
図１４、図１５は、本発明における第５実施形態のカードホルダーのストラップによる吊支状態を示す、それぞれ正面図、左側面図である。
【００４７】
図１４および図１５に示すように、本実施形態のカードホルダー３８は、ストラップ掛け部３９におけるペンホルダー部４０を、収容ケース２における上端２ａの後端縁側から上方に向けて起立しうるように設けられたストラップ掛け片４１と、このストラップ掛け片４１の前方位置に、その下端縁から起立させ、かつストラップ掛け片４１と左右等幅の伸縮性を有する弾性素材からなる挟持片４２とより構成することにより、ストラップ掛け片４１と挟持片４２との間に筆記具、例えばクリップを有しない鉛筆４３も挟持しうるようになっている。
【００４８】
図１６、図１７は、本発明における第６実施形態のカードホルダーのストラップによる吊支状態を示す、それぞれ正面図、左側面図である。
【００４９】
図１６および図１７に示すように、本実施形態のカードホルダー４４は、前記第５実施形態と同様に、ストラップ掛け部４５におけるペンホルダー部４６を、ストラップ掛け片４７と挟持片４８とより構成するとともに、この挟持片４８の左右方向の幅を、ストラップ掛け片４７の左右方向の幅よりも狭くなるようにして、ストラップ掛け片４７と挟持片４８との間に、特に、軸部の短かい鉛筆４９を挟持したときに、鉛筆４９の出し入れを容易にできるという効果が発揮されるようになっている。
【００５０】
なお、上記第６実施形態において、挟持片４８を、ストラップ掛け片４７の後方位置に、その下端から起立させ、挟持片４８の左右方向の幅を、ストラップ掛け片４７よりも広くなるようにしてもよい。
これにより、クリップがなくて軸部の長い鉛筆４９等を、安定して挟持することができる。
【００５１】
図１８、図１９、図２０は、本発明における第７実施形態のカードホルダーのストラップによる吊支状態を示す、それぞれ正面図、左側面図、背面図である。
【００５２】
図１８〜図２０に示すように、本実施形態のカードホルダー５０は、ストラップ掛け部５１におけるペンホルダー部５２を、ストラップ掛け片５３と、このストラップ掛け片５３の前面における左右方向の両側に設けた左右一対の伸縮性を有する弾性素材からなるループ状の挟持片５４，５４とより構成し、ストラップ掛け片５３と左右の挟持片５４との間に鉛筆５５を挟持しうるようになっている。
【００５３】
図２１、図２２は、本発明における第８実施形態のカードホルダーのストラップによる吊支状態を示す、それぞれ正面図、左側面図である。
【００５４】
図２１および図２２に示すように、本実施形態のカードホルダー５６は、ストラップ掛け部５７におけるペンホルダー部５８を、ストラップ掛け片５９と、このストラップ掛け片５９の下端縁から前面に向けて円弧状に巻き込むように延出させた伸縮性を有する弾性素材からなる挟持片６０とより構成されており、ストラップ掛け片５９と挟持片６０との間に鉛筆６１を挟持しうるようになっている。
【００５５】
なお、上記第８実施形態において、挟持片６０を、ストラップ掛け片５９の下端から後面に向けて円弧状に巻き込むように延出させるようにしてもよい。
【図面の簡単な説明】
【００５６】
【図１】本発明における第１実施形態のカードホルダーのストラップによる吊支状態を示す正面図である。
【図２】同じく、図１に示すカードホルダーの左側面図である。
【図３】同じく、図１に示すカードホルダーの背面図である。
【図４】図１におけるIV−IV線拡大断面図である。
【図５】図１におけるＶ−Ｖ線要部拡大断面図である。
【図６】本発明における第２実施形態のカードホルダーのストラップによる吊支状態を示す正面図である。
【図７】図６におけるVII−VII線要部拡大断面図である。
【図８】本発明における第３実施形態のカードホルダーのストラップによる吊支状態を示す正面図である。
【図９】同じく、図８に示すカードホルダーの左側面図である。
【図１０】同じく、図８に示すカードホルダーの背面図である。
【図１１】本発明における第４実施形態のカードホルダーのストラップによる吊支状態を示す正面図である。
【図１２】図１１におけるXII−XII線要部拡大断面図である。
【図１３】同じく、図１１に示すカードホルダーの背面図である。
【図１４】本発明における第５実施形態のカードホルダーのストラップによる吊支状態を示す正面図である。
【図１５】同じく、図１４に示すカードホルダーの左側面図である。
【図１６】本発明における第６実施形態のカードホルダーのストラップによる吊支状態を示す正面図である。
【図１７】同じく、図１６に示すカードホルダーの左側面図である。
【図１８】本発明における第７実施形態のカードホルダーのストラップによる吊支状態を示す正面図である。
【図１９】同じく、図１８に示すカードホルダーの左側面図である。
【図２０】同じく、図１８に示すカードホルダーの背面図である。
【図２１】本発明における第８実施形態のカードホルダーのストラップによる吊支状態を示す正面図である。
【図２２】同じく、図２１に示すカードホルダーの左側面図である。
【符号の説明】
【００５７】
１    カードホルダー
２    収容ケース
２ａ  上端
３    ストラップ掛け部
４    前面シート状部材
５    後面シート状部材
６    収容空間
７    開口部
８    クリップ掛け片
９    ストラップ掛け片
１０  ペンホルダー部
１１  筆記具
１２  軸部
１３  クリップ
１３ａ  クリップ玉
１４  取付孔
１５  押え片
１５ａ  突起
１６  カード取出し孔
１７  カードホルダー
１８  ストラップ掛け部
１９  クリップ掛け片
２０  ストラップ掛け片
２１  ペンホルダー部
２２  凹部（係合部）
２３  カードホルダー
２４  ストラップ掛け部
２５  ペンホルダー部
２６  クリップ掛け片
２７  ストラップ掛け片
２８  ペン抱持片
２９  カードホルダー
３０  起立部
３１  組付孔
３２  ストラップ掛け部
３３  基部
３４  クリップ掛け片
３５  ストラップ掛け片
３６  ペンホルダー部
３７  突起
３８  カードホルダー
３９  ストラップ掛け部
４０  ペンホルダー部
４１  ストラップ掛け片
４２  挟持片
４３  鉛筆
４４  カードホルダー
４５  ストラップ掛け部
４６  ペンホルダー部
４７  ストラップ掛け片
４８  挟持片
４９  鉛筆
５０  カードホルダー
５１  ストラップ掛け部
５２  ペンホルダー部
５３  ストラップ掛け片
５４  挟持片
５５  鉛筆
５６  カードホルダー
５７  ストラップ掛け部
５８  ペンホルダー部
５９  ストラップ掛け片
６０  挟持片
６１  鉛筆
Ｃ     カード類
Ｓ    ストラップ
【図１】
2010102152.tif 000003
【図２】
2010102152.tif 000004
【図３】
2010102152.tif 000005
【図４】
2010102152.tif 000006
【図５】
2010102152.tif 000007
【図６】
2010102152.tif 000008
【図７】
2010102152.tif 000009
【図８】
2010102152.tif 000010
【図９】
2010102152.tif 000011
【図１０】
2010102152.tif 000012
【図１１】
2010102152.tif 000013
【図１２】
2010102152.tif 000014
【図１３】
2010102152.tif 000015
【図１４】
2010102152.tif 000016
【図１５】
2010102152.tif 000017
【図１６】
2010102152.tif 000018
【図１７】
2010102152.tif 000019
【図１８】
2010102152.tif 000020
【図１９】
2010102152.tif 000021
【図２０】
2010102152.tif 000022
【図２１】
2010102152.tif 000023
【図２２】
2010102152.tif 000024